(57)【要約】【課題】ハウジングを小型にすることと耐アーク性を向上させることの両方を実現させる。【解決手段】スイッチモジュール１は、ハウジング１１と、押釦ハンドル１２と、固定接点１４と、可動接点１５とを備える。押釦ハンドル１２は、第１の方向において操作面１２１に押力が作用する。可動接点１５は、押釦ハンドル１２の操作面１２１に押力が作用するごとに、固定接点１４に接触する位置と固定接点１４から離れる位置との間で移動する。ハウジング１１は、ボディ６１と、カバー６２とを含む。ボディ６１には、開口の周縁の一部に、第１の方向に直交する第２の方向から見て固定接点１４および可動接点１５を覆うように第１の方向に沿って突出する突出部６５が設けられている。【選択図】図１
2015153557.tif 000002
【特許請求の範囲】
【請求項１】
ハウジングと、
第１の方向において押力が作用する操作面が外部に露出した状態で前記ハウジングに取り付けられる押釦ハンドルと、
前記ハウジングに収納される固定接点と、
前記ハウジングに収納され、前記押釦ハンドルの前記操作面に押力が作用するごとに、前記固定接点に接触する位置と前記固定接点から離れる位置との間で移動する可動接点とを備え、
前記ハウジングは、
開口を有する箱状のボディと、
前記ボディの前記開口を覆うように前記ボディに結合されるカバーとを含み、
前記ボディには、前記開口の周縁の一部に、前記第１の方向に直交する第２の方向から見て前記固定接点および前記可動接点を覆うように前記第１の方向に沿って突出する突出部が設けられている
ことを特徴とするスイッチモジュール。
【請求項２】
前記ボディは、前記カバーよりも難燃性かつ耐トラッキング性の高い材料で形成されていることを特徴とする請求項１記載のスイッチモジュール。
【請求項３】
前記ボディは、熱硬化性樹脂で形成されていることを特徴とする請求項２記載のスイッチモジュール。
【請求項４】
前記ハウジングは、直方体状に形成され、
前記第１の方向および前記第２の方向は、互いに前記ハウジングの長手方向と直交し、
前記固定接点および前記可動接点は、前記長手方向に沿って互いに対向するように前記ハウジングに収納され、
前記突出部は、前記ボディの前記長手方向に沿った側壁の一部に、前記側壁の残部よりも前記第１の方向に沿って突出するように設けられている
ことを特徴とする請求項１〜３のいずれか１項に記載のスイッチモジュール。
【請求項５】
前記ボディは、前記側壁に前記長手方向に並んで設けられた一対の組立突起を備え、
前記カバーは、それぞれ対応する組立突起に係合される組立孔が形成された一対の組立片を備え、
前記突出部は、前記組立孔に前記対応する組立突起が係合したときに、前記一対の組立片の間に設けられている
ことを特徴とする請求項４記載のスイッチモジュール。
【請求項６】
造営面に取り付けられるための取付枠に保持されることを特徴とする請求項１〜５のいずれか１項に記載のスイッチモジュール。
【請求項７】
請求項１〜６のいずれか１項に記載のスイッチモジュールと、
前記押釦ハンドルに対向するように前記ハウジングに配置され押操作による押力を前記押釦ハンドルに伝達する操作ハンドルと
を備えることを特徴とするスイッチ。
【請求項８】
請求項７記載のスイッチと、
前記スイッチモジュールを保持する取付枠と、
前記操作ハンドルを露出した状態で前記取付枠の前面側に配置されるプレートと
を備えることを特徴とするスイッチ装置。
【発明の詳細な説明】
【技術分野】
【０００１】
本発明は、一般にスイッチモジュール、スイッチおよびスイッチ装置に関し、より詳細には、押釦ハンドルに押力が作用するごとに接点の状態を切り替えるスイッチモジュール、このスイッチモジュールを用いたスイッチ、および、このスイッチを用いたスイッチ装置に関する。
【背景技術】
【０００２】
従来、操作ハンドルに押力が作用するごとに接点の状態を切り替えるスイッチが知られている（例えば特許文献１参照）。特許文献１に記載されたスイッチは、片側に基点があるスイッチであり、いわゆるピアノハンドル式のスイッチである。特許文献１に記載されたスイッチのスイッチ本体では、ボディとカバーとで構成されている器体（ハウジング）に固定接点および可動接点が収納されている。
【先行技術文献】
【特許文献】
【０００３】
【特許文献１】特開２００４−２９６２３０号公報
【発明の概要】
【発明が解決しようとする課題】
【０００４】
ところで、このようなスイッチにおいて、スイッチモジュール（スイッチ本体）の高さを低くすることについての要求が高まっている。すなわち、ハウジング（器体）の高さを低くすることについての要求が高まっている。
【０００５】
しかしながら、従来のスイッチモジュールに対して、ハウジングの高さを単に低くすると、ハウジング内において固定接点と可動接点とが接触したり離れたりする位置がボディとカバーの境界に近づいてしまう。すなわち、固定接点および可動接点で構成される接点の位置がボディとカバーの境界に近づいてしまう。ボディとカバーの境界近くで、接点の開閉に伴うアークが発生し、ボディとカバーの境界の隙間により、ハウジングの外側と接点との絶縁距離が短くなったりすることは好ましくない。
【０００６】
本発明は上記の点に鑑みて為された発明であり、本発明の目的は、ハウジングを小型にすることと耐アーク性を向上させることの両方を実現させることができるスイッチモジュール、スイッチおよびスイッチ装置を提供することにある。
【課題を解決するための手段】
【０００７】
本発明のスイッチモジュールは、ハウジングと、押釦ハンドルと、固定接点と、可動接点とを備える。前記押釦ハンドルは、第１の方向において押力が作用する操作面が外部に露出した状態で前記ハウジングに取り付けられる。前記固定接点は、前記ハウジングに収納される。前記可動接点は、前記ハウジングに収納される。前記可動接点は、前記押釦ハンドルの前記操作面に押力が作用するごとに、前記固定接点に接触する位置と前記固定接点から離れる位置との間で移動する。前記ハウジングは、箱状のボディと、カバーとを含む。前記ボディは、開口を有する。前記カバーは、前記ボディの前記開口を覆うように前記ボディに結合される。前記ボディには、前記開口の周縁の一部に、前記第１の方向に直交する第２の方向から見て前記固定接点および前記可動接点を覆うように前記第１の方向に沿って突出する突出部が設けられている。
【０００８】
このスイッチモジュールにおいて、前記ボディは、前記カバーよりも難燃性かつ耐トラッキング性の高い材料で形成されていることが好ましい。
【０００９】
このスイッチモジュールにおいて、前記ボディは、熱硬化性樹脂で形成されていることが好ましい。
【００１０】
このスイッチモジュールにおいて、好ましくは、前記ハウジングは、直方体状に形成される。前記第１の方向および前記第２の方向は、互いに前記ハウジングの長手方向と直交する。前記固定接点および前記可動接点は、前記長手方向に沿って互いに対向するように前記ハウジングに収納される。前記突出部は、前記ボディの前記長手方向に沿った側壁の一部に、前記側壁の残部よりも前記第１の方向に沿って突出するように設けられている。
【００１１】
このスイッチモジュールにおいて、好ましくは、前記ボディは、前記側壁に前記長手方向に並んで設けられた一対の組立突起を備える。前記カバーは、それぞれ対応する組立突起に係合される組立孔が形成された一対の組立片を備える。前記突出部は、前記組立孔に前記対応する組立突起が係合したときに、前記一対の組立片の間に設けられている。
【００１２】
このスイッチモジュールにおいて、造営面に取り付けられるための取付枠に保持されることが好ましい。
【００１３】
本発明のスイッチは、前記スイッチモジュールと、操作ハンドルとを備える。前記操作ハンドルは、前記押釦ハンドルに対向するように前記ハウジングに配置され押操作による押力を前記押釦ハンドルに伝達する。
【００１４】
本発明のスイッチ装置は、前記スイッチと、取付枠と、プレートとを備える。前記取付枠は、前記スイッチモジュールを保持する。前記プレートは、前記操作ハンドルを露出した状態で前記取付枠の前面側に配置される。
【発明の効果】
【００１５】
本発明では、ハウジングの高さを低くした場合であっても、ボディとカバーの境界を接点から遠ざけることができる。これにより、本発明では、ハウジングを小型にすることと耐アーク性を向上させることの両方を実現させることができる。
【図面の簡単な説明】
【００１６】
【図１】実施形態に係るスイッチモジュールの要部を示す断面図である。
【図２】実施形態に係るスイッチモジュール、操作ハンドル、取付枠およびプレートの外観斜視図である。
【図３】実施形態に係るスイッチモジュールの分解斜視図である。
【図４】実施形態に係るスイッチモジュールに操作ハンドルが取り付けられた状態の断面図である。
【図５】実施形態に係るスイッチモジュールの別の例の要部を示す断面図である。
【発明を実施するための形態】
【００１７】
以下の実施形態に係るスイッチモジュールは、固定接点および可動接点を覆うように突出する突出部をボディの開口の周縁の一部に備えている。これにより、ハウジングを小型にすることと耐アーク性を向上させることの両方を実現させることができる。
【００１８】
以下、本実施形態に係るスイッチモジュール、このスイッチモジュールを用いたスイッチ、および、このスイッチを用いたスイッチ装置について図面を参照して説明する。
【００１９】
本実施形態に係るスイッチモジュール１は、図１に示すように、押釦ハンドル１２に押力が作用するごとに接点１３の状態を切り替えるように構成されている。図２に示すように、スイッチモジュール１は、操作ハンドル２とともにスイッチ３を構成している。すなわち、本実施形態に係るスイッチ３は、スイッチモジュール１と、操作ハンドル２とを備えている。操作ハンドル２は、押釦ハンドル１２に対向するようにハウジング１１に配置され、押操作による押力を押釦ハンドル１２に伝達する。本実施形態に係るスイッチ３は、片側に基点があるスイッチであり、いわゆるピアノハンドル式のスイッチである。なお、本実施形態では、スイッチ３としてピアノハンドル式のスイッチを例示するが、スイッチ３は、ピアノハンドル式のスイッチ以外のスイッチであってもよい。
【００２０】
以下の説明では、特に断りがない限り、スイッチモジュール１の長手方向を左右方向Ａ１とし、スイッチモジュール１の短手方向を上下方向（第２の方向）Ａ２とし、スイッチモジュール１の長手方向および短手方向のいずれにも直交する方向を前後方向（第１の方向）Ａ３とする。
【００２１】
続いて、スイッチモジュール１について図１〜４を参照して説明する。ただし、従来例と共通の構成要素は適宜説明を省略する。
【００２２】
スイッチモジュール１は、図１に示すように、ハウジング１１と、押釦ハンドル１２とを備えている。また、スイッチモジュール１は、接点１３として、固定接点１４と、可動接点１５とを備えている。さらに、スイッチモジュール１は、図３に示すように、開閉子４１と、第１の端子板４２と、第２の端子板４３と、一対の第１の鎖錠ばね４４と、一対の第２の鎖錠ばね４５と、第１の解除釦４６と、第２の解除釦４７とを備えている。また、スイッチモジュール１は、接点１３の状態を切り替えるための切替機構として、反転ばね５１と、反転ハンドル５２と、スライドカム５３と、復帰ばね５４とを備えている。スイッチモジュール１は、造営面（図示せず）に取り付けられるために用いられる取付枠８（図２参照）に保持される。
【００２３】
ハウジング１１は、図３に示すように、ボディ６１と、カバー６２とで構成されている。ボディ６１は、箱状に形成されており、開口６１１を有する。カバー６２は、ボディ６１の開口６１１を覆うようにボディ６１に結合される。ハウジング１１は、直方体状に形成されている。
【００２４】
ハウジング１１の内部空間には、開閉子４１と、第１の端子板４２と、第２の端子板４３と、一対の第１の鎖錠ばね４４と、一対の第２の鎖錠ばね４５と、第１の解除釦４６と、第２の解除釦４７とが収納されている。
【００２５】
ボディ６１は、合成樹脂成形品である。ボディ６１は、底壁６１２と、短手方向（上下方向Ａ２）で対向する一対の側壁６１３と、長手方向（左右方向Ａ１）で対向する一対の側壁６１４とを一体に備えている。ハウジング１１の短手方向（上下方向Ａ２）の寸法は、スイッチモジュール１と同じ大きさの配線器具が取付枠８（図２参照）に３個まで取付可能な寸法に形成されている。つまり、ハウジング１１の短手方向（上下方向Ａ２）の寸法は、取付枠８の窓孔８１（図２参照）の上下方向Ａ２の寸法の略３分の１の寸法になる。一方、ハウジング１１の長手方向（左右方向Ａ１）の寸法は窓孔８１の左右方向Ａ１の寸法に略等しい。
【００２６】
ボディ６１には、一対の側壁６１３の各々に一対の組立突起６１５が設けられている。各側壁６１３において、一対の組立突起６１５は、ハウジング１１の長手方向（左右方向Ａ１）に並んで設けられている。また、底壁６１２には、図１に示すように、電線（図示せず）を挿入するための一対の第１の電線挿入孔６１６および一対の第２の電線挿入孔６１７が形成されている。一対の第１の電線挿入孔６１６および一対の第２の電線挿入孔６１７の近傍には、それぞれ１個ずつの解除孔（図示せず）が形成されている。さらに、ボディ６１内には、前端側が広いＶ字状の位置規制凹部６１８（図１参照）が形成されている。
【００２７】
カバー６２は、合成樹脂成型品である。図３に示すように、カバー６２は、前壁６２１と、短手方向（上下方向Ａ２）で対向する一対の側壁６２２と、長手方向（左右方向Ａ１）で対向する一対の側壁６２３，６２４とを一体に備えている。カバー６２の一対の側壁６２２の各々には、後縁から後方に向かって一対の組立片６２５が延びて設けられている。各組立片６２５には、組立孔６２６が形成されている。組立孔６２６に、対応する組立突起６１５が係合することにより、ボディ６１とカバー６２とが結合される。
【００２８】
カバー６２の前壁６２１には、凹部６２７が形成されている。凹部６２７の底壁には、底壁を貫通するように貫通孔６２８が形成されている。また、カバー６２の前壁６２１には、透光性を有する光源カバー６４が取り付けられる。ハウジング１１の内部には、例えば接点１３（図１参照）が開いている状態で点灯する光源（図示せず）が収納されている。上記光源から発せられた光は、光源カバー６４を透過してカバー６２の外部に出射される。なお、スイッチモジュール１は、可動接点１５が固定接点１４から離れているときに光源が発光するように構成されてもよいし、可動接点１５が固定接点１４に接触している状態で光源が発光するように構成されてもよい。また、スイッチモジュール１は、可動接点１５が固定接点１４に接触している状態と可動接点１５が固定接点１４から離れている状態とを区別して光源が発光するように構成されてもよい。
【００２９】
カバー６２の側壁６２３，６２４の各々には、スイッチモジュール１を取付枠８（図２参照）に取り付けるための２個の取付爪６３１が設けられている。また、カバー６２の前壁６２１には、操作ハンドル２を支持するための２個の軸部６３２が設けられている。さらに、カバー６２の前壁６２１には、複数個（図示例では３個）の挿入孔６３３が並んで形成されている。
【００３０】
押釦ハンドル１２は、図３に示すように、前後方向（第１の方向）Ａ３において押力が作用する操作面１２１が外部に露出した状態でハウジング１１に取り付けられる。より詳細には、押釦ハンドル１２は、前後方向Ａ３において移動自在な状態でカバー６２の前壁６２１に取り付けられている。押釦ハンドル１２は、左右方向（長手方向）Ａ１の両外側面に突起１２２を備えている。カバー６２の凹部６２７の両側内周面の後部に前後方向Ａ３に沿って形成された案内溝（図示せず）に突起１２２が挿入されることによって、前後方向Ａ３に移動自在かつ前方への抜止がなされている。
【００３１】
第１の端子板４２は、連結片４２１と、一対の圧接片４２２と、一対の当接片４２３とを備えている。一対の圧接片４２２および一対の当接片４２３は、互いに対向するように連結片４２１に連結されている。第１の端子板４２には、接点保持片４２４が設けられている。
【００３２】
第２の端子板４３は、連結片４３１と、一対の圧接片４３２と、一対の当接片４３３とを備えている。一対の圧接片４３２および一対の当接片４３３は、互いに対向するように連結片４３１に連結されている。第２の端子板４３には、連絡片４３４が延びて設けられている。連絡片４３４の先端部には、支持片４３５が形成されている。
【００３３】
一対の第１の鎖錠ばね４４および一対の第２の鎖錠ばね４５の各々は、弾性を有する導電性金属の帯板の両端部をそれぞれ曲成することにより形成されている。第１の鎖錠ばね４４は、第１の端子板４２の当接片４２３に当接し、圧接片４２２に対向する。第２の鎖錠ばね４５は、第２の端子板４３の当接片４３３に当接し、圧接片４３２に対向する。第１の電線挿入孔６１６（図１参照）からボディ６１内に電線（図示せず）が挿入されると、第１の鎖錠ばね４４と圧接片４２２との間で電線が挟持される。これにより、第１の鎖錠ばね４４の先端が電線の芯線に食い込んで抜止がなされるとともに、第１の鎖錠ばね４４によって電線と第１の端子板４２とが電気的に接続される。同様に、第２の電線挿入孔６１７からボディ６１に電線（図示せず）が挿入されると、第２の鎖錠ばね４５と圧接片４３２との間で電線が挟持される。これにより、第２の鎖錠ばね４５の先端が電線の芯線に食い込んで抜止がなされるとともに、第２の鎖錠ばね４５によって電線と第２の端子板４３とが電気的に接続される。
【００３４】
第１の解除釦４６および第２の解除釦４７は、ユリア樹脂のような熱硬化性樹脂を用いて形成されている。解除孔を通してマイナスドライバのような工具の先端部で第１の解除釦４６を押操作すれば、第１の鎖錠ばね４４を圧接片４２２から引き離して電線を引き抜くことができる。同様に、第２の解除釦４７を押操作すれば、第２の鎖錠ばね４５を圧接片４３２から引き離して電線を引き抜くことができる。
【００３５】
開閉子４１は、図１に示すように、後端縁４１１が支持片４３５に接触した状態で、一部がボディ６１の位置規制凹部６１８に挿入される。これにより、開閉子４１は、支持片４３５に接触した状態で後端縁４１１を支点として位置規制凹部６１８の範囲内で回動可能になる。開閉子４１は、左右方向Ａ１において、接点保持片４２４に対向するように配置される。開閉子４１には、図３に示すように、ばね座片４１２が設けられている。
【００３６】
固定接点１４は、図１に示すように、ハウジング１１に収納されている。より詳細には、固定接点１４は、接点保持片４２４の先端部に設けられている。
【００３７】
可動接点１５は、ハウジング１１に収納されている。より詳細には、可動接点１５は、開閉子４１において、接点保持片４２４に設けられた固定接点１４との対向部位に設けられている。すなわち、可動接点１５は、左右方向Ａ１において固定接点１４と対向する。また、可動接点１５は、ボディ６１の中央に配置されている。
【００３８】
可動接点１５は、押釦ハンドル１２の操作面１２１に押力が作用するごとに、固定接点１４に接触する位置と固定接点１４から離れる位置との間で移動する。より詳細には、押釦ハンドル１２に押力が作用するごとに、後述の切替機構が動作し、開閉子４１が回動することにより、可動接点１５が固定接点１４に接触する状態と、可動接点１５が固定接点１４から離れる状態とが切り替えられる。その結果、第１の端子板４２と第２の端子板４３とが電気的に接続される状態と、第１の端子板４２と第２の端子板４３とが電気的に分離する状態とが切り替えられる。
【００３９】
このようなスイッチモジュール１において、可動接点１５が固定接点１４から離れるときにアークが発生することがある。このアークに対する耐性を向上させるために、本実施形態のボディ６１は以下のように構成されている。
【００４０】
本実施形態のボディ６１には、図１，３に示すように、ボディ６１の開口６１１の周縁の一部に一対の突出部６５が設けられている。一対の突出部６５は、ハウジング１１の短手方向（上下方向Ａ２）から見て固定接点１４および可動接点１５を覆うように、押釦ハンドル１２の操作面１２１に押力が作用される方向（前後方向Ａ３）に沿って突出して設けられている。すなわち、本実施形態のボディ６１には、ボディ６１とカバー６２の境界が固定接点１４および可動接点１５から遠ざかるように一対の突出部６５が設けられている。
【００４１】
より詳細には、一対の突出部６５は、左右方向（長手方向）Ａ１に沿った一対の側壁６１３の一部に、側壁６１３の残部よりも前後方向Ａ３に沿って突出するように設けられている。上述したように、固定接点１４および可動接点１５が左右方向（長手方向）Ａ１に沿って互いに対向するようにハウジング１１に収納されている。このように固定接点１４および可動接点１５がハウジング１１に収納されている構成において、左右方向（長手方向）Ａ１に沿った一対の側壁６１３の各々に突出部６５が設けられている。
【００４２】
より好ましくは、突出部６５は、組立孔６２６に組立突起６１５が係合したときに、一対の組立片６２５の間に設けられている。すなわち、突出部６５は、側壁６１３の左右方向（長手方向）Ａ１の中央部に設けられている。
【００４３】
一対の突出部６５は、板状に形成されている。また、各突出部６５は、基端から先端に向かうほど、ハウジング１１の長手方向（左右方向Ａ１）における長さが短くなるように形成されている。さらに、一対の突出部６５は、ハウジング１１の短手方向（上下方向Ａ２）において、互いに対向して設けられている。
【００４４】
また、ボディ６１は、カバー６２よりも難燃性かつ耐トラッキング性の高い材料で形成されている。すなわち、突出部６５は、カバー６２よりも難燃性かつ耐トラッキング性の高い材料で形成されている。特に、ボディ６１（突出部６５を含む）は、ユリア樹脂のような熱硬化性樹脂で形成されていることが好ましい。
【００４５】
次に、接点１３の切替機構について図３を参照して説明する。接点１３の切替機構は、上述したように、固定接点１４に接触する位置と固定接点１４から離れる位置との間で可動接点１５を移動させるように構成されている。すなわち、接点１３の切替機構は、押釦ハンドル１２が押し込まれるたびに、接点１３の状態を切り替えるように構成されている。接点１３の切替機構として、上述したように、反転ばね５１と、反転ハンドル５２と、スライドカム５３と、復帰ばね５４とが設けられている。
【００４６】
反転ばね５１は圧縮コイルばねである。反転ばね５１の後端部には、開閉子４１のばね座片４１２が挿入される。
【００４７】
反転ハンドル５２は、後面開口した筒部５２１を備えている。筒部５２１内には、反転ばね５１の前端部が収められる。反転ハンドル５２の前端部は、カバー６２の凹部６２７に形成された貫通孔６２８を通して、カバー６２の前面側に露出する。また、反転ハンドル５２の中間部の両側面には、支点突起５２４が突出して設けられている。貫通孔６２８の軸受け部６２９に支点突起５２４が枢支されることで、反転ハンドル５２はカバー６２に対して揺動自在に取り付けられる。また、反転ハンドル５２は、一対の突起５２２，５２３（図１参照）が設けられている。一対の突起５２２，５２３は、貫通孔６２８を通してカバー６２の前面側に露出する。
【００４８】
スライドカム５３は、ポリアセタールのような弾性に富む熱可塑性樹脂により成形されている。スライドカム５３は、押釦ハンドル１２に押力が作用したときに、反転ハンドル５２の位置関係に応じて、押釦ハンドル１２の裏面に沿ってスライドするように構成されている。
【００４９】
復帰ばね５４は、押釦ハンドル１２の後面に取り付けられる。そして、復帰ばね５４の復帰ばね片５４１の先端が凹部６２７の底壁に弾接されることにより、押釦ハンドル１２が前方に向かって付勢される。
【００５０】
次に、本実施形態に係るスイッチモジュール１の動作について図１を参照して説明する。図１は、可動接点１５が固定接点１４に接触している状態を示している。この状態において、押釦ハンドル１２が復帰ばね５４に抗してハウジング１１に押し込まれると、押釦ハンドル１２とともにスライドカム５３が下向きに移動する。このとき、スライドカム５３が反転ハンドル５２の突起５２２に当たって反転ハンドル５２の左端部を押すから、反転ハンドル５２が左側に倒れるように回転し、反転ばね５１（図３参照）が最も圧縮される位置を通過して反転する。これにより、反転ばね５１から開閉子４１に作用するばね力の向きが反転し、上記ばね力によって開閉子４１が反転する。その結果、可動接点１５が固定接点１４から離れる。一方、可動接点１５が固定接点１４から離れている状態のときに、押釦ハンドル１２に押力が加わると、反転ハンドル５２の突起５２３がスライドカム５３に当たるから、反転ハンドル５２が右側に倒れるように回転し、反転ばね５１が最も圧縮される位置を通過して反転する。これにより、反転ばね５１から開閉子４１に作用するばね力の向きが反転し、上記ばね力によって開閉子４１が反転する。その結果、可動接点１５が固定接点１４に接触する。
【００５１】
次に、操作ハンドル２について図２，４を参照して説明する。
【００５２】
操作ハンドル２は、押釦ハンドル１２の操作面１２１よりも十分に大きい寸法を有する矩形板状に形成されている。操作ハンドル２の裏面（後面）には、スイッチモジュール１の軸部６３２と対向する部位に、軸部６３２が回転自在な状態で取り付けられる軸受け部（図示せず）が設けられている。操作ハンドル２は、軸受け部に軸部６３２を保持させることによって、スイッチモジュール１の前面において左右方向Ａ１の一端側（左側）で回動自在に支持されている。これにより、操作ハンドル２の右側が後方に押し込まれると、操作ハンドル２は、軸部６３２によって支持される部位を支点にして回転し、押釦ハンドル１２を押し込むように構成されている。また、操作ハンドル２には、２個の抜止片２１が設けられている。抜止片２１の先端部に設けられた係合爪２２が、カバー６２の挿入孔６３３（図３参照）に係合されることによって、操作ハンドル２の回動範囲が規制される。
【００５３】
なお、図５に示す操作ハンドル２は、取付枠８にスイッチモジュール１が１個だけ取り付けられる場合に使用され、操作ハンドル２の大きさは後述のプレートカバー９２の窓孔９２１と略同じ大きさに形成されている。取付枠８にスイッチモジュール１が２個取り付けられる場合、操作ハンドル２の大きさは、窓孔９２１を上下方向Ａ２において二等分した大きさと略同じ大きさである。また、取付枠８にスイッチモジュール１が３個取り付けられる場合、操作ハンドル２の大きさは、窓孔９２１を上下方向Ａ２において三等分した大きさと略同じ大きさである。
【００５４】
次に、スイッチ３を用いたスイッチ装置７について図２を参照して説明する。
【００５５】
本実施形態に係るスイッチ装置７は、上述のスイッチ３（スイッチモジュール１および操作ハンドル２）と、取付枠８と、プレート９とを備えている。
【００５６】
取付枠８は、スイッチモジュール１を保持するように構成されている。取付枠８は、合成樹脂または金属板により、矩形枠状に形成されている。取付枠８には、スイッチモジュール１が取り付けられる窓孔８１が形成されている。取付枠８は、一対の第１の梁部８２と、一対の第２の梁部８３とを備えている。一対の第１の梁部８２は、上下方向Ａ２において窓孔８１を挟んで対向している。一対の第２の梁部８３は、左右方向Ａ１において、窓孔８１を挟んで対向している。窓孔８１は矩形状であって、スイッチモジュール１が上下方向Ａ２に３個並べて配置された場合の３個のスイッチモジュール１の前面の大きさと略同じ大きさに形成されている。
【００５７】
一対の第１の梁部８２の各々には、第１の梁部８２を造営材に固定するためのねじ（図示せず）を挿入する挿入孔８４が形成されている。また、一対の第１の梁部８２の各々には、挿入孔８４よりも外側であって、左右方向Ａ１の中央にねじ孔８５が形成されている。
【００５８】
一対の第２の梁部８３の各々には、第２の梁部８３の上下方向Ａ２における中央部に２個の貫通孔８６１が形成されている。２個の貫通孔８６１は、スイッチモジュール１の片側にある２個の取付爪６３１と同じ間隔で形成されている。２個の貫通孔８６１には、中央部の取付位置に配置されるスイッチモジュール１の２個の取付爪６３１がそれぞれ係合される。また、各第２の梁部８３には、上下方向Ａ２における一端側（上側部）および他端側（下側部）の各々に、２個の貫通孔８６２，８６３が形成されている。２個の貫通孔８６２，８６３には、スイッチモジュール１の２個の取付爪６３１がそれぞれ係合される。つまり、一対の貫通孔８６１は、中央部の取付位置でスイッチモジュール１を保持する。各一対の貫通孔８６２，８６３は、両側部の取付位置でスイッチモジュール１を保持する。
【００５９】
さらに、各第２の梁部８３には、上下方向Ａ２における両側部および中央部以外の所定位置でスイッチモジュール１を保持できるように、上下方向Ａ２において隣り合う貫通孔８６１と貫通孔８６３との間に、貫通孔８６４が形成されている。貫通孔８６４には、スイッチモジュール１の取付爪６３１が係合される。
【００６０】
また、取付枠８には、第１の梁部８２の前面よりも第２の梁部８３の前面のほうが後方に位置するように、第１の梁部８２の前面と第２の梁部８３の前面との間に段差８７が形成されている。つまり、第１の梁部８２において造営材の表面側に配置される部位の前面より、第２の梁部８３において貫通孔８６１〜８６４が形成された部位の前面のほうが、取付枠８が造営材に取り付けられた状態で後側に位置するように、第１の梁部８２および第２の梁部８３が構成されている。
【００６１】
プレート９は、操作ハンドル２を露出した状態で取付枠８の前面側に配置される。プレート９は、プレートボディ９１と、プレートカバー９２とを備えている。
【００６２】
プレートボディ９１は、ＡＢＳ樹脂などのような合成樹脂材料によって矩形枠状に形成されている。プレートボディ９１には、窓孔９１１が形成されている。プレートボディ９１には、挿入孔９１２が形成されている。挿入孔９１２に挿入された取付ねじ（図示せず）がねじ孔８５に螺合することによって、プレートボディ９１は取付枠８に取り付けられる。窓孔９１１は、プレートボディ９１が取付枠８に取り付けられた状態で、取付枠８の窓孔８１と前後方向Ａ３において重なる位置に形成されている。また、プレートボディ９１の上下方向Ａ２に沿った両側部には、それぞれ３個ずつの貫通孔９１３が形成されている。
【００６３】
プレートカバー９２は、プレートボディ９１を覆うようにプレートボディ９１に着脱可能に取り付けられる。プレートカバー９２は、合成樹脂材料により形成されている。プレートカバー９２の中央には、矩形の窓孔９２１が形成されている。さらに、プレートカバー９２の背面には、プレートボディ９１に設けられた複数個の貫通孔９１３の各々に対応する部位に、貫通孔９１３に係合される係合部（図示せず）が設けられている。
【００６４】
スイッチモジュール１が取り付けられた取付枠８にプレートボディ９１が取り付けられ、さらにプレートカバー９２がプレートボディ９１に結合されるとともに、スイッチモジュール１に操作ハンドル２が取り付けられる。これにより、プレートボディ９１およびプレートカバー９２の窓孔９１１，９２１を通して操作ハンドル２の前面をプレート９の前方に露出させることができるので、操作ハンドル２を押操作することができる。
【００６５】
以上説明した本実施形態に係るスイッチモジュール１は、ハウジング１１と、押釦ハンドル１２と、固定接点１４と、可動接点１５とを備える。押釦ハンドル１２は、第１の方向（前後方向Ａ３）において押力が作用する操作面１２１が外部に露出した状態でハウジング１１に取り付けられる。固定接点１４は、ハウジング１１に収納される。可動接点１５は、ハウジング１１に収納される。可動接点１５は、押釦ハンドル１２の操作面１２１に押力が作用するごとに、固定接点１４に接触する位置と固定接点１４から離れる位置との間で移動する。ハウジング１１は、箱状のボディ６１と、カバー６２とを含む。ボディ６１は、開口６１１を有する。カバー６２は、ボディ６１の開口６１１を覆うようにボディ６１に結合される。ボディ６１には、開口６１１の周縁の一部に、第１の方向に直交する第２の方向（上下方向Ａ２）から見て固定接点１４および可動接点１５を覆うように第１の方向に沿って突出する突出部６５が設けられている。
【００６６】
本実施形態に係るスイッチモジュール１では、固定接点１４および可動接点１５で構成される接点１３を覆うように突出部６５がボディ６１の開口６１１の周縁の一部に設けられている。これにより、本実施形態に係るスイッチモジュール１では、ハウジング１１の高さ（前後方向Ａ３の長さ）を低くした場合であっても、ボディ６１とカバー６２の境界を接点１３から遠ざけることができる。そして、本実施形態に係るスイッチモジュール１では、上記境界付近にアークが発生するのを低減させることができ、ハウジング１１の外側と接点１３との絶縁距離を十分に保つことができる。その結果、ハウジング１１を小型にすることと耐アーク性を向上させることの両方を実現させることができる。さらに、本実施形態に係るスイッチモジュール１では、接点１３が開閉するときに発生する開閉音が外に漏れることを低減できる。
【００６７】
本実施形態に係るスイッチモジュール１では、開口６１１の周縁の一部に突出部６５が設けられていることによって、ボディ６１とカバー６２の位置ずれを低減させることができる。さらに、本実施形態に係るスイッチモジュール１では、ボディ６１の開口６１１の周縁において他の部分よりも突出している突出部６５を基準にしながら、カバー６２をボディ６１に容易に結合させることができる。
【００６８】
また、本実施形態のように、ボディ６１は、カバー６２よりも難燃性かつ耐トラッキング性の高い材料で形成されていることが好ましい。
【００６９】
本実施形態に係るスイッチモジュール１では、カバー６２よりも難燃性かつ耐トラッキング性の高い材料でボディ６１が形成されているので、アークが発生しやすい領域を難燃性かつ耐トラッキング性の高い材料で形成することができる。これにより、耐アーク性をさらに向上させることができる。
【００７０】
さらに、本実施形態のように、ボディ６１は、熱硬化性樹脂で形成されていることが好ましい。
【００７１】
本実施形態に係るスイッチモジュール１では、ボディ６１が熱硬化性樹脂で形成されているので、アークが発生しやすい領域に対して難燃性かつ耐トラッキング性を容易に高めることができる。これにより、本実施形態に係るスイッチモジュール１は、耐アーク性を容易に向上させることができる。
【００７２】
また、本実施形態のように、好ましくは、ハウジング１１は、直方体状に形成される。第１の方向（前後方向Ａ３）および第２の方向（上下方向Ａ２）は、互いにハウジング１１の長手方向（左右方向Ａ１）と直交する。固定接点１４および可動接点１５は、長手方向に沿って互いに対向するようにハウジング１１に収納される。突出部６５は、ボディ６１の長手方向に沿った側壁６１３の一部に、側壁６１３の残部よりも第１の方向に沿って突出するように設けられている。
【００７３】
本実施形態に係るスイッチモジュール１では、ボディ６１の長手方向（左右方向Ａ１）に沿った側壁６１３の一部に突出部６５が側壁６１３の残部よりも突出するように設けられている。これにより、本実施形態に係るスイッチモジュール１では、短手方向（上下方向Ａ２）に沿った境界よりも接点１３に近い長手方向に沿った境界を接点１３から遠ざけることができる。その結果、接点１３が開閉する方向すなわち長手方向（左右方向Ａ１）に沿って発生するアークからボディ６１とカバー６２の境界を遠ざけることができる。
【００７４】
さらに、本実施形態のように、好ましくは、ボディ６１は、側壁６１３に長手方向（左右方向Ａ１）に並んで設けられた一対の組立突起６１５を備える。カバー６２は、それぞれ対応する組立突起６１５に係合される組立孔６２６が形成された一対の組立片６２５を備える。突出部６５は、組立孔６２６に対応する組立突起６１５が係合したときに、一対の組立片６２５の間に設けられている。
【００７５】
本実施形態に係るスイッチモジュール１では、カバー６２の組立孔６２６にボディ６１の組立突起６１５が係合したときに、カバー６２の一対の組立片６２５の間に突出部６５が設けられている。これにより、本実施形態に係るスイッチモジュール１では、突出部６５がボディ６１に設けられても、組立孔６２６と組立突起６１５との係合を従来と同様に行うことができる。
【００７６】
また、本実施形態のように、スイッチモジュール１は、造営面に取り付けられるための取付枠８に保持されることが好ましい。
【００７７】
本実施形態に係るスイッチ３は、スイッチモジュール１と、操作ハンドル２とを備える。操作ハンドル２は、押釦ハンドル１２に対向するようにハウジング１１に配置される。操作ハンドル２は、押操作による押力を押釦ハンドル１２に伝達する。
【００７８】
本実施形態に係るスイッチ装置７は、スイッチ３と、取付枠８と、プレート９とを備える。取付枠８は、スイッチモジュール１を保持する。プレート９は、操作ハンドル２を露出した状態で取付枠８の前面側に配置される。
【００７９】
なお、本実施形態では、スイッチモジュール１が片切スイッチ用のモジュールである場合について説明したが、スイッチモジュール１は、片切スイッチ以外のスイッチ用のモジュールであってもよい。例えば、スイッチモジュール１は、図５に示すような３路スイッチ用のモジュールであってもよい。図５に示すスイッチモジュール１は、接点１３として、２個の固定接点１４１，１４２と、２個の可動接点１５１，１５２とを備えている。このスイッチモジュール１では、押釦ハンドル１２に押力が作用するごとに、可動接点１５１が固定接点１４１に接触する状態と、可動接点１５２が固定接点１４２に接触する状態とを切り替えることができる。なお、可動接点１５１が固定接点１４１に接触するとき、可動接点１５２は固定接点１４２から離れる。可動接点１５２が固定接点１４２に接触するとき、可動接点１５１は固定接点１４２から離れる。
【符号の説明】
【００８０】
１  スイッチモジュール
１１  ハウジング
１２  押釦ハンドル
１２１  操作面
１４  固定接点
１４１  固定接点
１４２  固定接点
１５  可動接点
１５１  可動接点
１５２  可動接点
２  操作ハンドル
３  スイッチ
６１  ボディ
６１１  開口
６１３  側壁
６１５  組立突起
６２  カバー
６２５  組立片
６２６  組立孔
６５  突出部
７  スイッチ装置
８  取付枠
９  プレート
【図１】
2015153557.tif 000003
【図２】
2015153557.tif 000004
【図３】
2015153557.tif 000005
【図４】
2015153557.tif 000006
【図５】
2015153557.tif 000007